(57)【要約】      （修正有）【課題】これまで開発されてきたマウスピース状のもので、いびきを改善する方法ではなく、単に噛む位置を指定した小片を上顎部及び下顎部の前歯で固定して、喉の通りを確保しようとするものである。本体は口腔内に入っている部分はごくわずかで、ほとんとが口腔内の外にある状態で使用する。個人差はあってもマウスピースのように作成に多くの工程と費用を要しないで、効果的に下顎部を前に引き出して睡眠時のいびきを防止し、本人及びパートナーに質の高い睡眠を確保しようとするいびき防止具である。【解決手段】上記課題を解決するために口に挿入が可能で、弾力性を有する板状体であって、該板状体の表裏面のそれぞれに、長手方向に対して直行する方向でかつ同じ位置に、上顎部前歯や下顎部前歯で噛みこむ溝を形成したことを特徴とする。【選択図】図３
2018061810.tif 000002
【特許請求の範囲】
【請求項１】
口に挿入が可能で、弾力性を有する板状体であって、該板状体の表裏面のそれぞれに、長手方向に対して直行する方向でかつ同じ位置に、上顎部前歯と下顎部前歯で噛込溝を形成したことを特徴とするいびき防止具。
【発明の詳細な説明】
【発明の詳細な説明】
【技術分野】
【０００１】  本発明は、いびきを防止するいびき防止具に関するものである。
【背景技術】
【０００２】  就寝中にいびきをかくことで、周囲に迷惑をかけることがある。また、いびきをかくことで、本人も、のどを痛めたり、眠りが浅くなったりすることがあり、いびきを防止することが求められている。【０００３】  いびきの原因は、就寝時に全身の筋肉が緩み、口呼吸になりやすくなり、舌が後方に下がり、喉を塞いだ状態で呼吸をすることで空気が通るときに粘膜が振動していびきとなる音が生じる。
それを、下顎部を５ｍｍ程度前に突き出すことで、気道が確保されいびきが改善されることもあるというのが専門医の定説である。受け口の人はいびきが少ないことから、下顎部を前に突き出した状態がちょうど上顎部前歯と下顎部前歯を合わせた位置で実現でき、多くのマウスピース型のいびき防止具も、究極的には下顎部前歯が上顎部前歯と同じ位置に来るようにマウスピースに下顎部前歯が保持できるように溝を設置することでその状態にできるように作成されている。いびき発生原因は図４に示す通りである。【０００４】  専門医の間では横向きに眠ることで喉の気道を確保しやすいことから、横向き就寝を推奨されているが、マウスピースは異物であることで、睡眠中に唾液が多く分泌され、横向きに眠ることで唇の隙間から「よだれ」となって枕を濡らし、その冷たさから睡眠が覚醒されてしまうことも多かった。そして異物との認識から、口から吐き出されることも多く、再び装着する際には、口を大きく開けて装着する必要があり、それも睡眠の覚醒につながった難点がある。【０００５】  また  これらのマウスピースの多くは、熱可逆性の柔らかい樹脂を使用している例が多く、高温のお湯につけたのち口の中に入れ、自らの歯型に併せて歯に押し付けて成型する作業が必要であった。マウスピースが熱ければ口に入れるのを躊躪し、冷めれば樹脂が硬くなり縮小して、歯型を取りにくくなった。温度と装着のタイミング、そして歯並びの前側すべて、裏側すべてに満遍なく指を入れて押し付けて成型し、かつ上顎部前歯と下顎部前歯を同じ位置に噛んでマウスピースに溝をつける作業を短時間に行わなければならない。マウスピースそのものが分厚くなってしまうと違和感も大きくなりいびき防止の効果が得られないため、極力薄く、自分の歯並びにフィットするように押し付けて成型して、自分の満足のいく専用のマウスピースを作成するには熟練を要し、途中で作成を断念するマウスピースもでて、無駄となるマウスピースも少なからずあった。【０００６】  熱可逆性の必要な柔らかい樹脂は、歯ぎしり防止などの効果があるが、歯ぎしりによって摩耗し、ささくれだった部分には細菌や汚れが溜まり、変色して衛生上の要求から造りかえる頻度が高く、耐久性に問題があった。【０００７】  職場や団体などでの旅行など、同部屋に複数で宿泊するときなとの睡眠時に一人のいびきで同部屋のほかの人が眠れないなどの問題や、病院の相部屋でも同じく他人のいびきで眠れないときがあるが、そのようなときに、簡易ですぐに効果があるものが作られていれば、多くの人が助かる。
【発明の概要】
【発明が解決しようとする課題】
【０００８】  本発明が解決しようとする課題は、これまで開発されてきた口腔内において、マウスピース状のもので、上下顎部前歯を固定して、喉をふさいだ状態から脱却していびきを改善する方法ではなく、単に噛む位置を指定した小片を上顎部及び下顎部の前歯で固定して、喉の通りを確保しようとするものである。従来のマウスピースでいびきを改善しようとする方法の多くは、上顎部にマウスピースを固定して装着した上で、下顎部前歯を上顎部前歯に合わせた位置に溝をつけて噛合わせる方法をとっている。本発明は、その上顎部前歯と下顎部前歯を噛合わせるところに着目し、より簡便な方法でそれを実現しようとするものである。
本体は口腔内に入っている部分はごくわずかで、ほとんとが口腔内の外にある状態で使用する。個人差はあってもマウスピースのように作成に多くの工程と費用を要しないで、効果的に下顎部を前に引き出して睡眠時のいびきを防止し、本人及びパートナーに質の高い睡眠を確保しようとするいびき防止具である。
【課題を解決するための手段】
【０００９】  本発明は、上記課題を解決するために口に挿入が可能で、弾力性を有する板状体であって、該板状体の表裏面のそれぞれに、長手方向に対して直行する方向でかつ同じ位置に、上顎部前歯と下顎部前歯で噛込溝を形成したことを特徴とする。
【発明の効果】
【００１０】  従来よりいびきに関係する専門医の間では、下顎が上顎より前へ出た、所謂、受け口の人はいびきをかくことが少ないと云うのが通説であった。そのことは、下顎を前方へ突き出すようにすると咽の奥の気道が広くなり、呼吸が楽になることで説明できる。  本発明によれば、就寝中に喉の軌道を確保して、簡便な方法ではあるがいびきを防止することができるいびき防止具を提供できる。
１４Ｂは薄い板状の本体に対して、噛込む位置を決めるために板状に表裏のどちらも同じ位置に一体として隆起を作成している。１７は噛込部であり、１３は紐などを通す穴である。【００１５】  図３において、上記に説明した本発明のいびき防止具について使用例を具体的に説明する。上顎部前歯３５に対して、下顎部前歯３４を同じ位置に引き上げて該本体部の噛込溝を噛んで保持することによって矢印ａの方向に下顎部が引き上げられることに併せて、下顎部と舌は一体として動いているため、舌根も矢印ｂの方向に引き上げられ気道側におちこまなくなり、これによって気道が確保される。気道が確保されることによっていびきが防止できる。【００１６】  本体部分板状の厚みと幅と長さであるが、厚みは０．２ｍｍから２ｍｍが良く、なかでも０．８ｍｍから１，２ｍｍがもっと良い。幅については概ね１５ｍｍから２５ｍｍで、もっと良いのは１８ｍｍから２０ｍｍである。長さについては３０ｍｍから６０ｍｍで、もっと良いのは４５ｍｍから５０ｍｍである。【００１７】  単に噛むだけでは、外れやすいとの指摘もありそうだが、柔らかく弾力性のある本体で、かつ薄く違和感が少ない本体であり、口の中に入る部分が少なく違和感がないことを特徴とする。噛込んだときの口の中に入れる長さは、５ｍｍから１５ｍｍであるが、舌に軽く当たる程度の８ｍｍから１０ｍｍがもっと良い。【００１８】  噛込む溝の深さについては、０．５ｍｍから３ｍｍ程度が良く、さらに言えば０．８ｍｍから１ｍｍ程度がもっと良い。噛み込む溝の奥行に関しては３ｍｍから１０ｍｍ程度が良く、さらに言えば４ｍｍから６ｍｍ程度がもっと良い。【００１９】  形状については長方形、正方形、三角形、丸型、楕円形、小判形、あるいはそれらを組み合わせた形状で良いが、口に含む部分の違和感が少ないものとして、角の部分は必ず丸みを持たせることが良い。【００２０】  本体を組成する素材であるが、弾力性と柔らかさを同時に兼ね備えた素材がよく、ナイロン、アクリル、ポリエチレン、ポリプロピレン、塩化ビニール樹脂、スチロール樹脂、メタクリル樹脂、フェノール樹脂、ユリア樹脂、メラミン樹脂、フッ素樹脂、ケイ素樹脂、ＡＢＳ樹脂、ポリカーボネート、繊維強化プラスチック、形状記憶ポリマー等の各種プラスチック、また、耐水性等の処理を施した紙及び布、また、合成ゴム、天然ゴム、シリコーンゴム、さらに、それらの複合による複合材などを素材としている。  さらに、それらの素材をラミネート加工する素材で良いが、水添型スチレンブタジエン共重合樹脂がもっと良い。
１４Ｂは薄い板状の本体に対して、噛込む位置を決めるために板状に表裏のどちらも同じ位置に一体として隆起を作成している。１７は噛込部であり、１３は紐などを通す穴である。【００１５】  図３において、上記に説明した本発明のいびき防止具について使用例を具体的に説明する。上顎部前歯３５に対して、下顎部前歯３４を同じ位置に引き上げて該本体部の噛込溝を噛んで保持することによって矢印ａの方向に下顎部が引き上げられることに併せて、下顎部と舌は一体として動いているため、舌根も矢印ｂの方向に引き上げられ気道側におちこまなくなり、これによって気道が確保される。気道が確保されることによっていびきが防止できる。１１は該本体部である【００１６】  本体部分板状の厚みと幅と長さであるが、厚みは０．２ｍｍから２ｍｍが良く、なかでも０．８ｍｍから１，２ｍｍがもっと良い。幅については概ね１５ｍｍから２５ｍｍで、もっと良いのは１８ｍｍから２０ｍｍである。長さについては３０ｍｍから６０ｍｍで、もっと良いのは４５ｍｍから５０ｍｍである。【００１７】  単に噛むだけでは、外れやすいとの指摘もありそうだが、柔らかく弾力性のある本体で、かつ薄く違和感が少ない本体であり、口の中に入る部分が少なく違和感がないことを特徴とする。噛込んだときの口の中に入れる長さは、５ｍｍから１５ｍｍであるが、舌に軽く当たる程度の８ｍｍから１０ｍｍがもっと良い。【００１８】  噛込む溝の深さについては、０．５ｍｍから３ｍｍ程度が良く、さらに言えば０．８ｍｍから１ｍｍ程度がもっと良い。噛み込む溝の奥行に関しては３ｍｍから１０ｍｍ程度が良く、さらに言えば４ｍｍから６ｍｍ程度がもっと良い。【００１９】  形状については長方形、正方形、三角形、丸型、楕円形、小判形、あるいはそれらを組み合わせた形状で良いが、口に含む部分の違和感が少ないものとして、角の部分は必ず丸みを持たせることが良い。【００２０】  本体を組成する素材であるが、弾力性と柔らかさを同時に兼ね備えた素材がよく、ナイロン、アクリル、ポリエチレン、ポリプロピレン、塩化ビニール樹脂、スチロール樹脂、メタクリル樹脂、フェノール樹脂、ユリア樹脂、メラミン樹脂、フッ素樹脂、ケイ素樹脂、ＡＢＳ樹脂、ポリカーボネート、繊維強化プラスチック、形状記憶ポリマー等の各種プラスチック、また、耐水性等の処理を施した紙及び布、また、合成ゴム、天然ゴム、シリコーンゴム、さらに、それらの複合による複合材などを素材としている。  さらに、それらの素材をラミネート加工する素材で良いが、水添型スチレンブタジエン共重合樹脂がもっと良い。
【符号の説明】  １  本体部
２  噛込溝
３  穴
７  噛込部
１０  紐
１１  本体部
１２  噛込溝
１４  突起
３１  舌根
３２  鼻腔
３３  気道
３４  下顎部前歯
３５  上顎部前歯
【図１】
2018061810.tif 000003
【図２】
2018061810.tif 000004
【図３】
2018061810.tif 000005
【図４】
2018061810.tif 000006
【手続補正書】
【提出日】平成29年1月13日(2017.1.13)
【手続補正１】
【補正対象書類名】明細書
【補正対象項目名】全文
【補正方法】変更
【補正の内容】
【発明の詳細な説明】
【発明の詳細な説明】
【技術分野】
【０００１】  本発明は、いびきを防止するいびき防止具に関するものである。
【背景技術】
【０００２】  就寝中にいびきをかくことで、周囲に迷惑をかけることがある。また、いびきをかくことで、本人も、のどを痛めたり、眠りが浅くなったりすることがあり、いびきを防止することが求められている。【０００３】  いびきの原因は、就寝時に全身の筋肉が緩み、口呼吸になりやすくなり、舌が後方に下がり、喉を塞いだ状態で呼吸をすることで空気が通るときに粘膜が振動していびきとなる音が生じる。
それを、下顎部を５ｍｍ程度前に突き出すことで、気道が確保されいびきが改善されることもあるというのが専門医の定説である。受け口の人はいびきが少ないことから、下顎部を前に突き出した状態がちょうど上顎部前歯と下顎部前歯を合わせた位置で実現でき、多くのマウスピース型のいびき防止具も、究極的には下顎部前歯が上顎部前歯と同じ位置に来るようにマウスピースに下顎部前歯が保持できるように溝を設置することでその状態にできるように作成されている。いびき発生原因は図４に示す通りである。【０００４】  専門医の間では横向きに眠ることで喉の気道を確保しやすいことから、横向き就寝を推奨されているが、マウスピースは異物であることで、睡眠中に唾液が多く分泌され、横向きに眠ることで唇の隙間から「よだれ」となって枕を濡らし、その冷たさから睡眠が覚醒されてしまうことも多かった。そして異物との認識から、口から吐き出されることも多く、再び装着する際には、口を大きく開けて装着する必要があり、それも睡眠の覚醒につながった難点がある。【０００５】  また  これらのマウスピースの多くは、熱可逆性の柔らかい樹脂を使用している例が多く、高温のお湯につけたのち口の中に入れ、自らの歯型に併せて歯に押し付けて成型する作業が必要であった。マウスピースが熱ければ口に入れるのを躊躇し、冷めれば樹脂が硬くなり縮小して、歯型を取りにくくなった。温度と装着のタイミング、そして歯並びの前側すべて、裏側すべてに満遍なく指を入れて押し付けて成型し、かつ上顎部前歯と下顎部前歯を同じ位置に噛んでマウスピースに溝をつける作業を短時間に行わなければならない。マウスピースそのものが分厚くなってしまうと違和感も大きくなりいびき防止の効果が得られないため、極力薄く、自分の歯並びにフィットするように押し付けて成型して、自分の満足のいく専用のマウスピースを作成するには熟練を要し、途中で作成を断念するマウスピースもでて、無駄となるマウスピースも少なからずあった。【０００６】  熱可逆性の必要な柔らかい樹脂は、歯ぎしり防止などの効果があるが、歯ぎしりによって摩耗し、ささくれだった部分には細菌や汚れが溜まり、変色して衛生上の要求から造りかえる頻度が高く、耐久性に問題があった。【０００７】  職場や団体などでの旅行など、同部屋に複数で宿泊するときなどの睡眠時に一人のいびきで同部屋のほかの人が眠れないなどの問題や、病院の相部屋でも同じく他人のいびきで眠れないときがあるが、そのようなときに、簡易ですぐに効果があるものが作られていれば、多くの人が助かる。
【発明の概要】
【発明が解決しようとする課題】
【０００８】  本発明が解決しようとする課題は、これまで開発されてきた口腔内において、マウスピース状のもので、上下顎部前歯を固定して、喉をふさいだ状態から脱却していびきを改善する方法ではなく、単に噛む位置を指定した小片を上顎部及び下顎部の前歯で固定して、喉の通りを確保しようとするものである。従来のマウスピースでいびきを改善しようとする方法の多くは、上顎部にマウスピースを固定して装着した上で、下顎部前歯を上顎部前歯に合わせた位置に溝をつけて噛合わせる方法をとっている。本発明は、その上顎部前歯と下顎部前歯を噛合わせるところに着目し、より簡便な方法でそれを実現しようとするものである。
本体は口腔内に入っている部分はごくわずかで、ほとんどが口腔内の外にある状態で使用する。個人差はあってもマウスピースのように作成に多くの工程と費用を要しないで、効果的に下顎部を前に引き出して睡眠時のいびきを防止し、本人及びパートナーに質の高い睡眠を確保しようとするいびき防止具である。
【課題を解決するための手段】
【０００９】  本発明は、上記課題を解決するために口に挿入が可能で、弾力性を有する板状体であって、該板状体の表裏面のそれぞれに、長手方向に対して直行する方向でかつ同じ位置に、上顎部前歯と下顎部前歯で噛込溝を形成したことを特徴とする。
【発明の効果】
【００１０】  従来よりいびきに関係する専門医の間では、下顎が上顎より前へ出た、所謂、受け口の人はいびきをかくことが少ないと云うのが通説であった。  そのことは、下顎を前方へ突き出すようにすると咽の奥の気道が広くなり、呼吸が楽になることで説明できる。  本発明によれば、就寝中に喉の軌道を確保して、簡便な方法ではあるがいびきを防止することができるいびき防止具を提供できる。【００１１】  口腔内の多くを入れない。上下顎部の前歯で噛み、上下唇部で挟み込むように使用することで、喉の軌道を確保しようとするものであるが、本体が口から外れた後であっても、その噛み合わせた形状を顎部筋肉が記憶しており、気道の確保がしばらくの間維持される。口から本体が外れたことに気付けば噛みなおすことで、再度気道が確保されいびきのない状態が再現される。外れた本体を探しやすくするために、図１の１０に示すように、紐付きで首にかける、あるいは耳にかけることにより探しやすい方法も提案できる。これまでの口腔内に多くを入れるマウスピース型であっても、口から吐き出されることもしばしば起こる。再装着する場合は本発明の方が容易に、ただ噛み直すことだけで再装着できる利点がある。この方法は簡便な方法であっても効果を得られるいびき防止具である。
【図面の簡単な説明】
【００１２】
【図１】  本発明の第１実施例を示す斜視図
【図２】  本発明の第２実施例を示す斜視図
【図３】  本発明を実際に装着した図
【図４】  いびきの発生する理由を説明した図
【発明を実施するための形態】
【００１３】  本発明の実施例について図面に基づいて説明する。
図１は本発明の第一実施例を示す。図１においていびき防止具は合成樹脂で形成された平板状で長方形の本体部１と、該本体部１の長手方向に対して直行する方向に延びる噛込溝２とで構成されている。そして噛み込み溝２は前記した本体部１の表側面１Ａと裏側面１Ｂのそれぞれに２Ａ，２Ｂとして形成されている。なおこの噛み込み溝２Ａ，２Ｂは表側面１Ａと裏側面１Ｂとにおいて、ほぼ同じ位置に形成されている。この噛込溝２は本体部１の一方側に寄った位置に形成されており、この噛込溝２からの一方側口に挿入される挿入部７となっている。そしてこの挿入部７は先端にむかって厚みが薄くなるようにテーパ状に形成されている。なお本実施例では挿入部７の幅方向は同一幅としているが、先端にむかって先細状にすることも可能である。
３は紐などを通す穴である。
【００１４】  図２の第２実施例の図面に基づいて説明する。
いびき防止具は合成樹脂で形成された平板状で長方形の本体部１１と、該本体部１１の長手方向に対して直行する方向に延びる噛込溝１２とで構成されている。そして噛込溝１２は前記した本体部１の表側面１１Ａと裏側面１１Ｂのそれぞれに１２Ａ，１２Ｂとして形成されている。なおこの噛込溝１２Ａ，１２Ｂは表側面１１Ａと裏側面１１Ｂとにおいて、ほぼ同じ位置に形成されている。１４Ａと１４Ｂは薄い板状の本体に対して、噛込む位置を決めるために板状に表裏のどちらも同じ位置に一体として隆起を作成している。１７は噛込部であり、１３は紐などを通す穴である。
【００１５】  図３において、上記に説明した本発明のいびき防止具について使用例を具体的に説明する。上顎部前歯３５に対して、下顎部前歯３４を同じ位置に引き上げて該本体部の噛込溝を噛んで保持することによって矢印ａの方向に下顎部が引き上げられることに併せて、下顎部と舌は一体として動いているため、舌根も矢印ｂの方向に引き上げられ気道側におちこまなくなり、これによって気道が確保される。気道が確保されることによっていびきが防止できる。１１は該本体部である
【００１６】  図４は一般的ないびきが発生する要因を説明した図である。上向きに寝ている状態で舌根が下がり、気道がつぶれて空気の通り道が無くなったときに、その間を空気が通ろうとして粘膜が振動することでいびきが発生することを現した図である。
【００１７】  本体部分板状の厚みと幅と長さであるが、厚みは０．２ｍｍから２ｍｍが良く、なかでも０．８ｍｍから１，２ｍｍがもっと良い。幅については概ね１５ｍｍから２５ｍｍで、もっと良いのは１８ｍｍから２０ｍｍである。長さについては３０ｍｍから６０ｍｍで、もっと良いのは４５ｍｍから５０ｍｍである。
【００１８】  単に噛むだけでは、外れやすいとの指摘もありそうだが、柔らかくマスクゴムを用いて本体を保持し、耳にかける。あるいは直接マスクにクリップで留めるなどの工夫もできる。弾力性のある本体で、かつ薄く違和感が少ない本体であり、口の中に入る部分が少なく違和感がないことを特徴とする。噛込んだときの口の中に入れる長さは、５ｍｍから１５ｍｍであるが、舌に軽く当たる程度の８ｍｍから１０ｍｍがもっと良い。
【００１９】  噛込む溝の深さについては、０．５ｍｍから３ｍｍ程度が良く、さらに言えば０．８ｍｍから１ｍｍ程度がもっと良い。噛み込む溝の奥行に関しては３ｍｍから１０ｍｍ程度が良く、さらに言えば４ｍｍから６ｍｍ程度がもっと良い。
【００２０】  形状については長方形、正方形、三角形、丸型、楕円形、小判形、あるいはそれらを組み合わせた形状で良いが、口に含む部分の違和感が少ないものとして、角の部分は必ず丸みを持たせることが良い。
【００２１】  本体を組成する素材であるが、弾力性と柔らかさを同時に兼ね備えた素材がよく、ナイロン、アクリル、ポリエチレン、ポリプロピレン、塩化ビニール樹脂、スチロール樹脂、メタクリル樹脂、フェノール樹脂、ユリア樹脂、メラミン樹脂、フッ素樹脂、ケイ素樹脂、ＡＢＳ樹脂、ポリカーボネート、繊維強化プラスチック、形状記憶ポリマー等の各種プラスチック、また、耐水性等の処理を施した紙及び布、また、合成ゴム、天然ゴム、シリコーンゴム、さらに、それらの複合による複合材などを素材としている。  さらに、それらの素材をラミネート加工する素材で良いが、水添型スチレンブタジエン共重合樹脂がもっと良い。
【符号の説明】  １  本体部
２  噛込溝
３  穴
７  噛込部
１０  紐
１１  本体部
１２  噛込溝
１４  突起
３１  舌根
３２  鼻腔
３３  気道
３４  下顎部前歯
３５  上顎部前歯